(57)【要約】本発明は、少なくとも１０ｍＷの定格パワーを有するレーザ源（２）と、電力をレーザ源へ供給するよう適合された内蔵電源（３）と、使用時にレーザ源によって生成されたビーム（３）を処理する少なくとも１つの光学エレメント（７）と、を備えるレーザビーム（８）を出射する携帯デバイス（１）に関する。【選択図】図１
2009515730.tif 000002
【特許請求の範囲】
【請求項１】
少なくとも１０ｍＷの定格パワーを有するレーザ源と、
電力をレーザ源へ供給するよう適合された内蔵電源と、
使用時にレーザ源によって生成されたビームを処理する少なくとも１つの光学エレメントと、
を備えるレーザビームを出射する携帯デバイス。
【請求項２】
請求項１に記載の携帯デバイスであって、レーザ源は、ＩＲ、ＶＩＳあるいはＵＶレーザ源である携帯デバイス。
【請求項３】
請求項１または請求項２に記載の携帯デバイスであって、光学エレメントは集束レンズである携帯デバイス。
【請求項４】
請求項３に記載の携帯デバイスであって、集束レンズはオートフォーカスレンズである携帯デバイス。
【請求項５】
請求項１から４のいずれかに記載の携帯デバイスであって、光学エレメントはコリメーティングレンズである携帯デバイス。
【請求項６】
請求項１から５のいずれかに記載の携帯デバイスであって、光学エレメントは、少なくともレーザビームの一部がデバイスから出ていく前に通過するマスクである携帯デバイス。
【請求項７】
請求項６に記載の携帯デバイスであって、マスク上に形成される潜像が固定あるいは可変である携帯デバイス。
【請求項８】
請求項１から７のいずれかに記載の携帯デバイスであって、内蔵電源はバッテリである携帯デバイス。
【請求項９】
請求項１から８のいずれかに記載の携帯デバイスであって、レーザ源が、ダイオードレーザ、ファイバ連結ダイオードレーザ、レーザアレイ、あるいはダイオード励起固体レーザである携帯デバイス。
【請求項１０】
請求項１から９のいずれかに記載の携帯デバイスであって、レーザ源の定格パワーは、１０〜２０ｍＷ、２０〜３０ｍＷ、３０〜４０ｍＷ、４０〜５０ｍＷ、５０〜１００ｍＷ、１００〜２００ｍＷ、２００〜５００ｍＷ、５００ｍＷ〜１Ｗ、１〜１０Ｗ、１０〜２０Ｗ、２０〜５０Ｗ、５０〜１００Ｗの間にあるか、あるいはこれらの範囲のいずれかの組合せである携帯デバイス。
【請求項１１】
請求項１から１０のいずれかに記載の携帯デバイスであって、レーザ源は、ユーザの入力によって作動される携帯デバイス。
【請求項１２】
請求項１１に記載の携帯デバイスであって、レーザ源は、作動された後、さらなるユーザの入力によって作動解除される携帯デバイス。
【請求項１３】
請求項１１に記載の携帯デバイスであって、レーザ源は、作動された後、自動的に作動解除される携帯デバイス。
【請求項１４】
請求項１から１３のいずれかに記載の携帯デバイスであって、さらに、受光器を備える携帯デバイス。
【請求項１５】
請求項１４に記載の携帯デバイスであって、受光器はフォトダイオードである携帯デバイス。
【請求項１６】
請求項１４または請求項１５に記載の携帯デバイスであって、さらに、光学フィルタが、受光器の受光方向の上流に配置されている携帯デバイス。
【請求項１７】
請求項１６に記載の携帯デバイスであって、光学フィルタは狭帯域フィルタである携帯デバイス。
【請求項１８】
請求項１から１７のいずれかに記載の携帯デバイスであって、デバイスがペン型である携帯デバイス。
【請求項１９】
レーザによってエネルギーを与えられたとき変色可能な付加物を有する基体を提供するステップと、
請求項１から１８のいずれかに記載の携帯デバイスを提供するステップと、
前記基体の上に前記携帯デバイスを配置するステップと、
レーザ源を作動して前記デバイスにレーザビームを射出させ、ビームによって前記基体上の少なくとも１つの所望のポイントにエネルギーを与え、これにより、付加物を前記ポイントで変色させるステップと、
を備えるインクレスプリントの方法。
【請求項２０】
請求項１９に記載の方法であって、前記基体を提供するステップは、基体における付加物あるいは付加物の濃度を、デバイスによって達成可能な流束量レベルの範囲と、整合させるステップを含む方法。
【請求項２１】
請求項１９または請求項２０に記載の方法であって、グレースケールのイメージが、異なる複数の流束量レベルで前記基体にエネルギーを与えることによって、前記基体上に現像される方法。
【請求項２２】
請求項１９または請求項２０に記載の方法であって、多階調のカラーイメージが、異なる複数の流束量レベルで前記基体にエネルギーを与えることによって、前記基体上に現像される方法。
【請求項２３】
請求項１９から２２のいずれかに記載の方法であって、前記基体上に、マイクロドットイメージが現像される方法。
【請求項２４】
請求項１９から２３のいずれかに記載の方法であって、前記基体材料は、金属、合金、ガラス、セラミック、プラスチック、ファブリック、木材、紙、カード、樹脂、ゴム、泡、複合材、石、食べ物および身体の組織から選択される方法。
【請求項２５】
レーザによってエネルギーを与えられたとき硬化する基体を提供するステップと、
請求項１から１８のいずれかに記載の携帯デバイスを提供するステップと、
前記基体の上に前記携帯デバイスを配置するステップと、
前記レーザ源を作動してデバイスにレーザビームを射出させ、前記ビームによって前記基体にエネルギーを与え、これにより、前記基体を硬化させるステップと、
を備える基体を硬化する方法。
【請求項２６】
請求項２５に記載の方法であって、前記基体は、近赤外レーザ光で硬化可能である方法。
【請求項２７】
請求項２５または請求項２６に記載の方法であって、前記基板材料は、接着剤、シーラント、および歯科用の合成物から選択される方法。
【発明の詳細な説明】
【技術分野】
【０００１】
本発明は、レーザビームを出射する携帯デバイスに関する。本発明は、特に、内蔵電源を有するコンパクトなハイパワーレーザデバイスに関する。
【背景技術】
【０００２】
レーザは、一般的にはアブレーションによって、また、材料を焦がすあるいは変色させることによっても、レーザエネルギーを吸収することができる基体のマーキングに広く用いられている。ＷＯ９７／４７３９７は、製品に識別インデックスをつける方法および装置を開示している。コーティング層はマークされる基体上に形成される。コーティング層は、ＣＯ2ガスレーザビームの作用によって黒っぽくなる付加物を含んでいる。ＣＯ2レーザは、少なくとも１０，０００時間動作するというその長動作寿命ゆえに、一般的にこの目的のために用いられている。コーティングは、レーザ源の集束されたエネルギーを有する照射によって黒っぽくなる。
【０００３】
レーザは、また、例えば、カーボンブラックを用いて、一般的には近赤外領域で、硬化可能な調合物を用いることによって、溶着を達成するよう広く用いられている。他の硬化用途も、例えば、接着剤あるいはシーラントの硬化において知られている。
【０００４】
一方、レーザエネルギー源を用いた多くの大規模なマーキング／プリントおよび硬化用途が知られているが、これらは、概して、セットアップ時間が長く、電力消費が多い、大きく高価な装置を有している。
【０００５】
発明の要約
第１の態様において、本発明は、少なくとも１０ｍＷの定格パワーを有するレーザ源と、電力をパワー源へ供給するよう適合された内蔵電源と、使用時にレーザ源によって生成されたビームを処理する少なくとも１つの光学エレメントと、を備えるレーザビームを出射する携帯デバイスである。
【０００６】
本発明のデバイスは、小さくて、容易に操作でき、自己完結型であり、しかも、センチメートル以下のオーダーの、小型から超小型のプリント／およびまたは硬化用途に使用するのに十分なエネルギーのレーザビームを出射する有用性がある。
【０００７】
第２の態様において、本発明は、レーザによってエネルギーを与えられたとき変色可能な付加物を有する基体を提供するステップと、本発明の第１の態様を有する携帯デバイスを提供するステップと、携帯デバイスを基体の上に配置するステップと、ビームによって基体上の少なくとも１つの所望のポイントにエネルギーを与え、これにより、付加物を前記ポイントで変色させるようにレーザ源を作動してデバイスにレーザビームを出射させるステップと、を備えるインクレスプリントの方法である。
【０００８】
第３の態様において、本発明は、レーザによってエネルギーを与えられると硬化する基体を提供するステップと、本発明の第１の態様を有する携帯デバイスを提供するステップと、携帯デバイスを基体の上に配置するステップと、ビームによって基体にエネルギーを与え、これにより、基体を硬化させるようにレーザ源を作動してデバイスにレーザビームを出射させるステップと、を備える基体を硬化する方法である。
【０００９】
発明の説明
本発明の第１の態様にかかる携帯デバイスは、赤外、可視、あるいはＵＶレーザ源を備えることができる。デバイスは、集束レンズ、好ましくはオートフォーカスレンズ、および／またはコリメーティングレンズとできる少なくとも１つの光学エレメントを備える。光学エレメントは、さらに、レーザビームの少なくとも一部がデバイスから出ていく前に通過するマスクであってもよい。他の光学エレメントに加えて、マスクを備えてもよい。マスク上に形成される潜像は固定あるいは可変であってもよく、例えば、予めプログラム可能なあるいはアクティブにコントロール可能な液晶光学シャッタアレイであってもよい。内蔵電源は、好ましくは、取り外し可能であり充電可能なバッテリである。
【００１０】
レーザ源は、レーザダイオード、ファイバ連結レーザダイオード、レーザアレイ、あるいはダイオード励起固体レーザであってもよい。レーザ源の定格パワーは、１０〜２０ｍＷ、２０〜３０ｍＷ、３０〜４０ｍＷ、４０〜５０ｍＷ、５０〜１００ｍＷ、１００〜２００ｍＷ、２００〜５００ｍＷ、５００ｍＷ〜１Ｗ、１〜１０Ｗ、１０〜２０Ｗ、２０〜５０Ｗ、５０〜１００Ｗの間にあるか、あるいはこれらの範囲のいずれかの組合せであってもよい。レーザ源の定格パワーは用途に応じて選択してもよく、そして、そのパワー出力は一定であっても、またその定格内でアクティブにあるいはパッシブにコントロールされてもよい。携帯デバイスは、好ましくは、ユーザによって押されたときにレーザ源を作動するボタンを有する。一旦作動されると、レーザ源は、そのボタンあるいは他のユーザ入力手段が解放されるか、またはそうでなければ非係合されるまで作動されたままである。またあるいは、レーザ源が自動的に作動解除されるまで、デバイスを所定時間の間作動されたままであるよう適合することもできる。
【００１１】
好ましい実施形態において、デバイスは、受光器をさらに備える。受光器は、好ましくは、受光器の受光方向の上流に配置される光学フィルタを有することができるフォトダイオードである。光学フィルタは、好ましくは、狭帯域フィルタである。
【００１２】
デバイスは、特に、レーザで「書く」用途において使用するペン型とでき、あるいは、その用途に応じた他の適当な人間工学的な形状（ergonomic shape）を有することもできる。
【００１３】
図面の説明
次に、本発明の実施形態を、添付の図面を参照して、説明する。
【００１４】
図１は、本発明の実施形態にかかる携帯デバイスの概略図である。
【００１５】
図２は、本発明の他の実施形態にかかる携帯デバイスの概略図である。
【００１６】
図３は、第１構成におけるレーザビームの光学経路の概略図である。
【００１７】
図４は、代替的な構成にかかるレーザビームの経路の概略図である。
【００１８】
詳細な説明
まず、図１を参照して、携帯デバイスは、１０ｍＷの定格パワーを有するレーザダイオード２を有するハウジング１を備えている。レーザダイオード２は、バッテリ３に制御電子モジュール４を介して電気的に接続されている。レーザダイオード２は、制御電子モジュール４に接続されているボタン５のユーザによる押し下げに応じて、作動される。ボタン５の押し下げ時に、電力がレーザダイオード２に供給される。レーザダイオード２は、大きい広がり角でレーザビーム３を出射する。レーザビーム３のフットプリントは、概ね楕円形状である。レーザビーム６は、レーザビーム６を処理する光学エレメント７に入り、その結果、光学エレメント４を出ていくレーザビーム８は、所望の焦点距離、均一性およびスポットサイズを有する。ハウジング１から延びるのは、ガイド９であり、使用において、ガイド９が、デバイスから放射するレーザの焦点を示しているため、ユーザがデバイスを配置するのを支援する。適切な安全対策に関して、安全なレーザ暴露限度を超えないことを保証するよう、デバイスを用いなければならない。
【００１９】
上述した携帯デバイスは、インクレスプリント、マーキングおよび硬化用途における使用に適している。これらの用途のそれぞれにおいて、シールドエレメント９がプリント、マーキング、あるいは硬化されるべき基体１０の近傍にあるよう、デバイスは配置される。デバイスを、レーザビーム８の光軸が照射されるべき基体１０の表面にほぼ垂直となるように配置する必要がある。制御電子モジュール４を、ボタン５の押し下げ時にレーザダイオード２に所定時間の間バッテリ３から電力が供給されるように適合してもよい。あるいは制御電子モジュール４を、ユーザがもう一度ボタン５を押し下げるまでバッテリ３からレーザダイオード２へ継続して電力を供給するように適合させてもよい。いずれの場合も、適切なマーキングあるいは硬化用途をもたらすために基体１０が必要とする流束量レベルが得られるように、照射時間を適合させる必要がある。
【００２０】
レーザダイオード２のパワー出力は、例えば、レーザダイオード２の最大定格パワーで一定としてもよく、あるいはレーザダイオード２の最大定格パワーレベルよりも低いパワーレベルで一定としてもよい。またあるいは、レーザダイオード２のパワー出力を可変にし、制御電子モジュール４によってコントロールしてもよい。光学エレメント７は、コリメーティングレンズ、集束レンズ、オートフォーカスレンズ、あるいはこれらの組合せであってもよい。エレメント７は、さらに、潜在的なイメージが形成されるマスクを有してもよい。マスクの潜在的なイメージを、固定としても、あるいは可変として制御電子モジュール４によってコントロールしてもよい。マスクは、レーザビーム６の少なくとも一部を選択的に通過可能にし、これにより、レーザビーム８を形成する。適当なマスクは、ＬＣＤ光学シャッタアレイ等であってもよい。このような光学シャッタアレイの詳細は、出願人の同時係属中の英国特許出願０５２０１１５．７号において提供される。
【００２１】
図１の携帯デバイスは、ペン型であり、その結果、デバイスは、特に、インクレスで「書く」用途に適している。このような用途において、基体１０はレーザによってエネルギーが与えられたとき変色可能な付加物を含む、あるいはその付加物を含むコーティングを有する。適当な付加物は、出願人の同時係属中の出願ＰＣＴ／ＧＢ０５／００１２１およびＧＢ０４１８６７６．３において開示されている。これら２つの出願は、現在のところ容易に利用可能なダイオードレーザの２つの波長である、近赤外および紫／紫外域の波長でイメージングするための好ましい材料を、それぞれ、詳述している。付加物のタイプおよび濃度を、入射する照射の流束量レベルに整合させる必要があり、したがって、レーザダイオード２のタイプと、露光時間と、光学エレメント７のタイプと、に整合させる必要がある。硬化用途についても、同じことが言える。
【００２２】
図２は、図１のデバイスに光検出手段が追加された、本発明の携帯デバイスの代替的な実施形態を示している。光検出手段は、狭帯域フィルタ／コレクター１１と、フォトダイオード受光器１２と、制御電子回路１３と、を備えている。受光手段は、例えば、書類のセキュリティ検証における使用に適している。検証プロセスは、携帯デバイスによって出射されたレーザ光の波長に対応する蛍光剤などの材料を含むコーティングを有する基体１０を照射すること、を含む。蛍光剤は、デバイスによって出射された波長とは異なる波長の光を発する。蛍光剤によって発せられた光は、特定の波長の光のみを通過させる狭帯域フィルタ／コレクター１１に入る。狭帯域フィルタ／コレクター１１を通過した光は、フォトダイオード受光器１２に入る。フォトダイオード受光器１２による受光の検出は、制御電子回路１３によって行なわれる。このような光検出手段を用いることにより、特定のコーティングの有無を判断することが可能になる。このことは、領収書、銀行紙幣、セキュリティ文書、あるいは他のＰＯＳ用途の小口検証に、特に、役立つ。
【００２３】
図３は、第１機構にかかる図１および２図のデバイスによるレーザ光の通過を示す。光学エレメント７は集束レンズを含む。集束レンズは、固定レンズあるいはオートフォーカスレンズのいずれであってもよい。光学エレメント７は、さらに、フォトマスクを含んでもよい。このような機構は、特に、基体１０上のマイクロドットあるいはマイクロシグネチャイメージをプリントする際の使用に適している。レーザビームを特異点の近くに固定することによって、基体１０の表面上に適切な流束量レベルを達成するために、比較的低いレーザビームパワーを用いることができる。このことは、電池サイズと電力消費の点から、特に有用である。このマイクロプリントは、プリントされた最終物が肉眼あるいはある低倍率の顕微鏡でさえ見えないセキュリティプリントの分野において、特に実用性がある。
【００２４】
光学エレメント７の焦点距離を変えることによって、基体１０の表面のスポットまたはイメージフットプリントのサイズを大きくしてもよく、これにより、プリントされたイメージのサイズが大きくなる。しかしながら、この場合は、同様な基体１０に対して、より大きいレーザダイオード２パワー出力または露光時間の増加のいずれかを要する。このようなセキュリティプリントにおいては、どのようなときでも、携帯レーザデバイスを基体に整合させることで、プリントされる書類のセキュリティを改善する。なぜなら、偽造者が基体と携帯デバイスの両方にアクセスできる場合にのみ、そのプリントされる書類を複写することができるからである。
【００２５】
マイクロドットあるいはマイクロシグネチャのプリントは、供給チェーン検証（supply chain verification）および／またはブランド品の検査の分野において、さらなる実用性がある。このような検証は、どのようなものでも、品物自体にマーキングされることが、多くの場合、望ましい。しかしながら、ある用途においては、このマーキングがエンドユーザに容易には見えないことが望ましい。このことは、マークが、紫外光あるいは赤外光の下でのみ見えるように、あるいはマークが肉眼では見えない程小さくするように、基体をマーキングすることによって達成できる。パスポートおよび他のＩＤ書類のマーキングも、この技術を用いることによって、見通しが立つ。
【００２６】
本発明の他に可能性のある用途は、タトゥーの分野にある。適当な透明コーティングを肌に塗り、続いて、その肌を本発明にかかる携帯デバイスを用いて照射し、これにより、タトゥーを描くために、変色させることが考えられる。コーティング調合物に応じて、単色、グレースケール、あるいは十分に多階調な色のイメージを、デバイスを用いた単一の露光から現像できる。レーザ安全規則に適合できる限り、携帯デバイスを、適当なコーティング調合物を塗ることなくイメージを直接基体に描くよう用いることもできることも、また、考えられる。
【００２７】
小規模な硬化のための硬化用途の分野において、硬化させようとする調合物が、所定の流束量レベルでの露光後に変色を呈することは有用である。例えば、硬化を受ける同じ調合物は、硬化を果たすために必要とされる同レベルに対応する特定の露光強度レベルで所定時間後に、変色することができる。適当な硬化基体は、コスメティックトリートメントからハンドクラフトまでの種々の用途を有する多くの重合体、セラミックス、およびプレセラミックスである。特定の位置にある変色可能な付加物の濃度を変えることによって、基体上の隣接点の流束量と同じ流束量レベルの下で、異なる変色を果たすことが可能になる。このことは、特定の硬化プロシージャに対しマイクロシグネチャあるいは日付印を描くことが必要な場合、特に有用である。このようなマーキングの検証を、図２の実施形態を用いて、果たすことができる。同じ技術を、光学メディアの書き込みの確認に用いることができる。
【００２８】
図４は、光学エレメント７がいわゆるリレーイメージングセットアップ（relay imaging setup）で配置されている、デバイスの代替的な光学機構を示す。光学エレメント７は、イメージマスク７ｃ上に形成されたイメージを基体１０上へとリレーするために用いられるレンズ焦点距離ｆを有するレンズ７ｄを、備える。レンズ７ｄは、イメージマスク７ｃと距離をおいて配置され、当該距離は、レンズ焦点距離fより大きくしてもよい(uはfより大きい)。縮小化されたイメージは、イメージングレンズ７ａから、公知の式（１／ｆ）＝（（１／ｕ）＋（１／ｖ））に応じた距離ｖにある基板１０上に形成される。縮小比率は、（ｖ／ｕ）で与えられる。
【００２９】
高縮小には、単純に、一のシステムのイメージ面を次のシステムに対する実質的なマスクとして機能するよう用いることにより、いくつかのリレーイメージングシステムを、直列に縦続接続することができる。これにより、経路長を長くする必要がなくなる（縮小＝ｖ／ｕ）。逆に、単一の縮小が好ましく、結果的に、経路リンクを大きくする必要がある場合、ミラーを用いて経路を集約／折り返すことができ、これにより、コンパクトな設計を利用することができる。
【００３０】
図４のシステムにおいて、レーザダイオード２によって出射された光は、リレーイメージの前に、広がって、切り取られる。広がった光は、レンズ７ａによって集束され、アパーチャ７ｂによって切り取られる。これにより、より均一なビーム輪郭を形成することが可能になり、結果的に、マスク７ｃのより均一な照射が可能になる。これにより、より均一な光ビームがマスク７ｃ上に入射することができる。
【００３１】
動作の代替的なモードでは、焦点が合ったジオメトリで、フーリエ変換イメージングを用いることもできよう。これを達成するために、リレーイメージングごとに、基板１０上のイメージ面に代わる、レンズ７ｄの焦点で必要とされる最終イメージのフーリエイメージマスクで、マスク７ｃを置き換えなければならない。そして、シンプルな集束レンズが、極めて精密なイメージを小さなスポットに形成することになる。また、これにより、１つのレンズとフーリエイメージマスクとで構成された比較的シンプルでコンパクトな機構の使用が容易になる。
【００３２】
光学エレメント７を置き換える、あるいは光学エレメント７が基板１０にホログラフィーのイメージを形成可能なホログラフィーのエレメントあるいは光学構造を備えることができるであろうことも、また、想定される。
【００３３】
携帯デバイスのバッテリ３は、チャージャーへの適当な接続を有する充電可能なバッテリ、あるいは必要に応じて取り外し可能なバッテリのどちらであってもよいことが想定される。レーザダイオードをレーザ源として、デバイスを説明してきたが、具体的には、ファイバ連結レーザダイオード、レーザアレイ、あるいはダイオード励起固体レーザを、代わりに用いてもよいことが想定されている。レーザ源の定格パワーは、上述した特定の用途に適するよう、少なくとも１０ｍＷである。しかしながら、特定の用途に応じて、定格パワーを、１０〜２０ｍＷ、２０〜３０ｍＷ、３０〜４０ｍＷ、４０〜５０ｍＷ、５０〜１００ｍＷ、１００〜２００ｍＷ、２００〜５００ｍＷ、５００ｍＷ〜１Ｗ、１〜１０Ｗ、１０〜２０Ｗ、２０〜５０Ｗ、５０〜１００Ｗの間にあるか、あるいはこれらの範囲のいずれかの組合せを、適当とすることもできることを述べておく。
【００３４】
上述した基体材料に加えて、以下の基体材料を、添付の特許請求の範囲によって定義される本発明の方法において使用するのに適当とすることもできる：金属と、合金と、ガラスと、セラミックと、プラスチックと、ファブリックと、木材と、紙と、カードと、樹脂と、ゴムと、泡と、複合材と、石と、壁と、身体の組織と、である。硬化用において使用される基体材料は、特に、接着剤、シーラント、あるいは歯科用の合成物とすることができる。
【図１】
2009515730.tif 000003
【図２】
2009515730.tif 000004
【図３】
2009515730.tif 000005
【図４】
2009515730.tif 000006
【手続補正書】
【提出日】平成20年7月3日(2008.7.3)
【手続補正１】
【補正対象書類名】特許請求の範囲
【補正対象項目名】全文
【補正方法】変更
【補正の内容】
【特許請求の範囲】
【請求項１】
レーザビームを出射する携帯デバイスであって、前記デバイスが少なくとも１０ｍＷの定格パワーを有するレーザ源と、前記レーザ源に電力を供給するように適合された内蔵電源と、使用時に、レーザ源によって生成されたビームを処理する少なくとも１つの光学エレメントとを含む前記携帯デバイスを提供するステップと、
レーザビームによってエネルギーが与えられたとき変色可能な付加物を有する基体を提供するステップと、
前記携帯デバイスを前記基板の上に配置するステップと、
前記レーザ源を作動して前記携帯デバイスにレーザビームを出射させ、前記ビームによって前記基体上の少なくとも１つの所望のポイントにエネルギーを与え、これにより、前記付加物を前記ポイントで変色させるステップと、
を備えるインクレスプリントの方法。
【請求項２】
請求項１に記載の方法であって、前記基体を提供するステップは、前記基体における前記付加物あるいは前記付加物の濃度を、前記デバイスで達成可能な流束量レベルの範囲と、整合させるステップを含む方法。
【請求項３】
請求項１に記載の方法であって、複数の異なる流束量レベルで前記付加物を有する前記基体にエネルギーを与えることによって、グレースケールのイメージが、前記基体上に現像される方法。
【請求項４】
請求項１に記載の方法であって、複数の異なる流束量レベルで前記付加物を有する前記基体にエネルギーを与えることによって、多階調のカラーイメージが、前記基体上に現像される方法。
【請求項５】
請求項１に記載の方法であって、前記基体上に、マイクロドットイメージが現像される方法。
【請求項６】
請求項１に記載の方法であって、前記基体材料は、金属、合金、ガラス、セラミック、プラスチック、ファブリック、木材、紙、カード、樹脂、ゴム、泡、複合材、石、食べ物および身体の組織から選択される方法。
【請求項７】
請求項１に記載の方法であって、前記光学エレメントによって前記レーザビームを処理するステップをさらに備える方法。
【請求項８】
請求項７に記載の方法であって、前記レーザビームは集束レンズ、好ましくはオートフォーカスレンズ、またはコリメーティングレンズ、または表面に形成された固定または可変のイメージを有するフォトマスクによって処理される方法。
【請求項９】
請求項１に記載の方法であって、前記内蔵電源はバッテリである方法。
【請求項１０】
請求項１に記載の方法であって、前記レーザ源が、ダイオードレーザ、ファイバ連結ダイオードレーザ、レーザアレイ、あるいはダイオード励起固体レーザである方法。
【請求項１１】
請求項１に記載の方法であって、レーザ源の定格パワーは、１０〜２０ｍＷ、２０〜３０ｍＷ、３０〜４０ｍＷ、４０〜５０ｍＷ、５０〜１００ｍＷ、１００〜２００ｍＷ、２００〜５００ｍＷ、５００ｍＷ〜１Ｗ、１〜１０Ｗ、１０〜２０Ｗ、２０〜５０Ｗ、５０〜１００Ｗの間にあるか、あるいはこれらの範囲のいずれかの組合せである方法。
【請求項１２】
請求項１に記載の方法であって、前記エネルギーを与えるステップは、ユーザの入力によって開始する方法。
【請求項１３】
請求項１２に記載の方法であって、前記エネルギーを与えるステップは、自動的にまたはさらなるユーザの入力によって終了する方法。
【請求項１４】
請求項１に記載の方法であって、前記デバイスがペン型である方法。
【請求項１５】
請求項１に記載の方法であって、前記レーザ源は、ＩＲ、ＶＩＳあるいはＵＶレーザ源である方法。
【国際調査報告】
2009515730.tif 000007
2009515730.tif 000008
2009515730.tif 000009